(57)【要約】      （修正有）【課題】止水位置以外においては弁体と弁座との圧着度合いを弱めるようにして、シール部材の摩耗や亀裂の恐れを減少させ、シール不良を減少させること。また、吐止水の摺動操作の際の操作荷重を軽減し、弁装置の操作感を向上させ、また、弁体の噛み込み等の可能性を減少させること。【解決手段】主弁３０及び一次側底面８３が相対的に摺動され主弁３０が一次側底面８３に圧着されて開閉される給水栓の弁装置２０において、主弁３０に、主弁３０の圧着方向に沿うとともに一次側底面８３に向けて突設された干渉部４９ｂを設け、一次側底面８３には、主弁３０の圧着方向に沿うとともに主弁３０に向けて突設され、止水位置以外において干渉部４９ｂと干渉し合う被干渉部９７ｂを設けた。【選択図】図７
2010286019.tif 000002
【特許請求の範囲】
【請求項１】
弁体及び弁座が相対的に摺動され弁体が弁座に圧着されて開閉される給水栓の弁装置であって、
前記弁体又は前記弁座の一方に、弁体の圧着方向に沿うとともに前記弁体又は前記弁座の他方に向けて突設された干渉部が設けられ、
前記弁体又は前記弁座の他方には、弁体の圧着方向に沿うとともに前記弁体又は前記弁座の一方に向けて突設され、止水位置以外において前記干渉部と干渉し合う被干渉部が設けられたことを特徴とする給水栓の弁装置。
【請求項２】
前記干渉部及び前記被干渉部が、止水位置以外において前記弁体と前記弁座とが離隔される位置まで干渉し合うことを特徴とする請求項１に記載の給水栓の弁装置。
【請求項３】
吐水位置側から止水位置側に操作される際に前記干渉部及び前記被干渉部が位置する部位において、前記干渉部を、前記弁体及び前記弁座が圧着される方向に向けて徐々に誘導する傾斜誘導部を前記干渉部に連設することを特徴とする請求項１または請求項２に記載の給水栓の弁装置。
【発明の詳細な説明】
【技術分野】
【０００１】
本発明は、給水栓の弁装置に関する。
【背景技術】
【０００２】
従来、弁体と弁座とが相対的に平行に移動されて弁口を開閉する給水栓の弁装置が知られている。例えば、シャワーヘッドにおいて、シャワーヘッド本体を貫通するように摺動自在に取り付けられたボタン状のスピンドル（弁座）に流路を形成し、このスピンドルの摺動方向に対して直交する方向に弁体を付勢する弁装置がある。そして、このスピンドルを吐水位置・止水位置間で摺動操作されることにより、弁体に対して流路が相対的に平行に移動され、弁体が流路に対して連通する位置にスピンドルが位置されれば吐水を行わせ、弁体が流路に対して連通しない位置にスピンドルが位置されれば止水するように構成されている（例えば、特許文献１参照。）。
【先行技術文献】
【特許文献】
【０００３】
【特許文献１】特許第３８０６２９９号公報（図２、図３、図４）
【発明の概要】
【発明が解決しようとする課題】
【０００４】
前述した従来の弁装置においてはスピンドルに対して弁体が常に付勢されている。止水位置においては弁体を弁座に圧着して弁座を閉止する必要があるため、弁体を弁座に付勢しておくことが必要となる。しかしながら、従来の弁装置においては、弁体が弁座に対し常に付勢されているため、止水位置から吐水位置へ、また、吐水位置から止水位置へ、弁体が移動される際にも弁体と弁座とが圧着されており、両部材が圧着されたまま互いに摺動されることになっていた。このため、弁体に取り付けられたパッキンなどのシール部材が早期に摩耗するなど、シール不良が生じやすいという問題を生じていた。また、吐止水の摺動操作の際の操作荷重が増大してスピンドルの操作感を損ねたり、場合によっては弁体の噛み込み等が生ずるなど、スピンドルの操作性が悪化する要因となっていた。
【０００５】
本発明は前述した従来の給水栓の弁装置の問題点を解消するものであり止水位置以外においては弁体と弁座との圧着度合いを弱めるようにして、シール部材の摩耗や亀裂の恐れを減少させ、シール不良を減少させることを目的とする。また、吐止水の摺動操作の際の操作荷重を軽減し、弁装置の操作感を向上させ、また、弁体の噛み込み等の可能性を減少させることを目的とする。
【課題を解決するための手段】
【０００６】
以上の課題を解決するために、本発明の採った手段を以下に説明する。本発明の給水栓の弁装置は、弁体及び弁座が相対的に摺動され弁体が弁座に圧着されて開閉される給水栓の弁装置であって、
前記弁体又は前記弁座の一方に、弁体の圧着方向に沿うとともに前記弁体又は前記弁座の他方に向けて突設された干渉部が設けられ、
前記弁体又は前記弁座の他方には、弁体の圧着方向に沿うとともに前記弁体又は前記弁座の一方に向けて突設され、止水位置以外において前記干渉部と干渉し合う被干渉部が設けられたことを特徴とする給水栓の弁装置である（請求項１）。
【０００７】
いわゆる「摺動弁」において、例えば、弁体がコイルばね等により弁座方向に向けて付勢されて弁座に圧着可能に設けられている場合、弁体の開放操作位置、例えば吐水具からの吐水操作の際の弁体の位置において、弁体の圧着方向に沿って弁座に向けて、すなわち弁体を離隔する方向に干渉する「干渉部」及び「被干渉部」を設けたものである。このように構成することにより、止水時には弁体と弁座とを確実に圧着する一方で、止水時以外において、例えば弁体の開放操作位置においては弁体と弁座との圧着度合いを弱めることができ、吐水位置と止水位置との間の弁体の摺動時における弁体の摩擦を抑えることが可能となる。よって、弁体の摩耗や亀裂が生ずるおそれを低減させることができる。
【０００８】
「止水位置以外」において、干渉部と被干渉部とが干渉し合うことにより、止水位置以外に位置する際の弁体について、弁座への圧着度合いを弱めることができるが、吐水位置のみにおいて干渉し合うように設けたり、吐水位置の他に止水位置と吐水位置との中間地点においても干渉し合うように設けることとしても良い。
【０００９】
本発明において「干渉部」の形状については「弁体の圧着方向に沿うとともに他方に向けて突設され」ていれば足り、その他の形状については特に限定されず、例えば、突起状、突条状等の形状とすることが考えられる。また、同様に「被干渉部」の形状についても「弁体の圧着方向に沿うとともに一方に向けて突設され」ていれば足り、その他の形状については、突起状、突条状等にするなど特に限定はされない。また、被干渉部が「止水位置以外において前記干渉部と干渉し合う」ように設けるためには、摺動操作をした際の弁体の開放操作位置においてのみ干渉部と被干渉部とが干渉し合うような位置にこれらの部位を設けることなどが考えられる。
【００１０】
また、「干渉部」及び「被干渉部」は弁体側又は弁座側のいずれかに一方を設け、残った部材に他方を設けることができる。また、「干渉部」及び「被干渉部」が設けられる部位は、弁体又は弁座の摺動面でも良いし、弁体又は弁座の側部などに設けても良く、特に限定はされない。
【００１１】
「干渉部」及び「被干渉部」は少なくとも「干渉し合う」ように設けられていれば足り、干渉し合うことにより少なくとも圧着度合いを弱める程度も含むことを意味する。一方で、弁体と弁座とが離隔される位置まで干渉し合うように構成しても良い（請求項２）。
【００１２】
このように弁体と弁座とが離隔される位置まで干渉し合うように設けると、弁体の摩耗や亀裂をより減少させることができる。
【００１３】
また、吐水位置側から止水位置側に操作される際に前記干渉部及び前記被干渉部が位置する部位において、前記干渉部を、前記弁体及び前記弁座が圧着される方向に向けて徐々に誘導する傾斜誘導部を前記干渉部に連設することとしても良い（請求項３）。
【００１４】
このような傾斜誘導部を設けることにより、吐水位置から止水位置に操作を行う際に、弁体と弁座とが徐々に圧着されるように干渉部を誘導できるので、止水操作の際に弁体と弁座とが急速に圧着されることがなく、シール部の急激な圧着による摩耗や亀裂のおそれを一層減少させることができる。また、止水操作の際に弁体と弁座とが急速に圧着されることがないので、止水操作の際の操作感の急激な変化を抑制することができ、弁装置の操作性を向上させることもできる。また同時に、吐水操作の際には弁体と弁座とが急速に離隔されることも回避できるので、吐水操作の際の操作感を一定にして操作性を向上させることもできる。このような傾斜誘導部の例としては、例えば、干渉部に連設された傾斜面等を例示することができる。
【発明の効果】
【００１５】
本発明の弁装置は、前述のような、吐水操作位置において干渉し合う干渉部及び被干渉部を弁体と弁座に設けたので、止水位置以外においては弁体と弁座との圧着度合いが弱められ、シール部材の摩耗や亀裂の恐れを減少させ、シール不良を減少させることができる。また、吐止水の摺動操作の際の操作荷重が軽減され、弁装置の操作感を向上させ、また、弁体の噛み込み等の可能性を減少させることができる。
【図面の簡単な説明】
【００１６】
【図１】本発明の弁装置を用いたシャワーヘッドの平面視横断面図である。
【図２】図１のシャワーヘッドの側面視縦断面図である。
【図３】主弁が閉状態、副弁が閉状態の弁装置の拡大横断面図である。
【図４】主弁が閉状態、副弁が開状態の弁装置の拡大横断面図である。
【図５】主弁が微開状態、副弁が開状態の弁装置の拡大横断面図である。
【図６】主弁が開状態、副弁が開状態の弁装置の拡大横断面図である。
【図７】主弁が全開状態、副弁が開状態の弁装置の拡大横断面図である。
【図８】ボタンの要部拡大斜視図である。
【図９】主弁の一部斜視図である。
【図１０】別の弁装置の拡大横断面図である。
【図１１】別のボタンの要部拡大斜視図である。
【発明を実施するための形態】
【００１７】
[シャワーヘッド１の全体構成]
次に、本発明の弁装置の実施の形態を図を参考にして詳細に説明する。図１及び図２に示すように、本発明の弁装置２０は、給水栓本体（図示省略）にシャワーホース（図示省略）を介して接続されるシャワーヘッド１の内部に組み付けられるものである。シャワーヘッド１は、給水栓本体に設けられたハンドル操作により、その内部の通水路１２への給水の開始・停止が行われることになるが、ハンドル操作により給水が開始された状態において、シャワーヘッド１のボタン２の操作を行うことにより弁装置２０を開閉し、シャワーヘッド１を保持する使用者が手元で吐止水の操作を行うことができるものである。
【００１８】
シャワーヘッド１の内部には、シャワーホースから供給された湯水をシャワーヘッド１先端の散水板３へ供給する通水路１２が形成されている。通水路１２は、細長の全体形状のシャワーヘッド１の長手方向に沿って形成されている。また、シャワーヘッド１は、使用者が把持する基端側のシャワーグリップ部材１ａと、先端側に設けられて散水板３を有するヘッド部材１ｂとから構成されており、シャワーグリップ部材１ａの先端に設けられた雌ねじ部にヘッド部材１ｂの基端側が螺合されて脱着自在に取り付けられている。ヘッド部材１ｂの基端部外周面にはＯリング１３が取り付けられ、シャワーグリップ部材１ａ内周面との水密が図られている。
【００１９】
通水路１２のうちのシャワーヘッド１基端側の部位の一次側通水路４と、シャワーヘッド１先端側の部位の二次側通水路５との間には、弁装置２０が組み付けられる収容室６が形成されている。収容室６は、主弁３０（弁体）及びボタン２を収容する一次側収容室６ａと、副弁６０（弁体）を収容する二次側収容室６ｂとから構成されている。そして、一次側収容室６ａは前述したシャワーグリップ部材１ａの先端側開口部内に、一次側通水路４の二次側に連通するようにして形成されている。また、二次側収容室６ｂは前述したヘッド部材１ｂの基端側開口部内に、二次側通水路５の一次側に連通するようにして形成されている。
【００２０】
また、図１に示すように、シャワーグリップ部材１ａの一次側収容室６ａの先端側には、一次側収容室６ａ及びシャワーグリップ部材１ａを貫通するようにして、シャワーグリップ部材１ａの外表面に開口するように形成されたボタン収容孔７ａ、７ｂが形成されている。細長の円筒状のボタン２は、このボタン収容孔７ａ，７ｂにその軸心方向において摺動自在に取り付けられている。そして、このボタン２を、シャワーヘッド１本体の右側面（図１の下方側）から押し込むことにより散水板３からの散水が行われ、一方、シャワーヘッド１本体の左側面（図１の上方側）から押し込むことにより散水板３からの散水が停止されるように設けられている。そしてまた、このボタン収容孔７ａ，７ｂに装着されたボタン２を挟んで、一次側収容室６ａ内に主弁３０が、二次側収容室６ｂ内に副弁６０が、対向するようにして配設されている。
【００２１】
収容室６の一次側寄りの一次側収容室６ａには、一次側通水路４との境の段部８と主弁３０との間にコイルばね９が装着されている。コイルばね９の一端側は段部８に当接し、他端側は主弁３０の基端側端部に当接されている。また、主弁３０の先端側端部はボタン２に当接されている。このようにして、主弁３０は、一次側収容室６ａの段部８とボタン２との間において、コイルばね９によりボタン２側に向けて付勢されて装着されている。
【００２２】
収容室６の二次側寄りの二次側収容室６ｂには、二次側通水路５との境の段部１０とボタン２との間に副弁６０が装着されている。副弁６０の第１ガイド６１内にはコイルばね６２が装着されており、第１ガイド６１内の支持部材６３をボタン２側に向けて付勢している。
【００２３】
[弁装置２０の詳細構成]
次いで、弁装置２０について詳細に説明する。弁装置２０は、前述の通りシャワーヘッド１内の収容室６内に収容装着されている。図３に示すように、弁装置２０を構成する主弁３０は、一次側収容室６ａ内に収容されている。一次側収容室６ａは、一次側通水路４の開口部４ａの内径よりも大径に形成されており、一次側通水路４との連設部位に段部８が形成されている。コイルばね９の一端側は、一次側通水路４の開口部４ａよりも大きな径に形成されており、段部８に係止されるようにして一次側収容室６ａ内に装着されている。そして、コイルばね９の他端側は、主弁３０に係止されている。
【００２４】
主弁３０は略円筒形状に形成されており、基端側の端部がコイルばね９に当接され、先端側の端部がボタン２に当接されて一次側収容室６ａ内に装着されている。主弁３０には、コイルばね９が係止装着される樹脂製の第１ガイド３４と、この第１ガイド３４の先端側に取り付けられる樹脂製の第２ガイド４２と、第１ガイド３４と第２ガイド４２との間に挟持されるパッキン５０とが備えられている。
【００２５】
第１ガイド３４には、主体部３６と、この主体部３６の先端側に連設され、外周に雄ねじが刻設された雄ねじ部４１が備えられている。主体部３６の内部には、コイルばね９の外径よりもやや大きな内径のばね収容室３７が設けられており、ばね収容室３７奥端には、コイルばね９の他端が当接可能な段部３８が形成されている。コイルばね９は、一次側収容室６ａの段部８とばね収容室３７の段部３８との間に装着されて、主弁３０全体をボタン２方向に付勢している。また、主体部３６の外周面には一次側収容室６ａとの間の水密を図るＯリング３９が装着されている。また、雄ねじ部４１の先端には雄ねじ部４１の外径よりも僅かに小径に形成されるとともにパッキン５０が装着される小径部４１ａが形成されている。
【００２６】
第２ガイド４２はその外径を第１ガイド３４の外径とほぼ同一に設けた有底円筒状に形成されている。第２ガイド４２の先端側の底部には、後述するパッキン５０のシール部５４が挿通される先端側開口部４３が開設されている。また、第２ガイド４２の基端側開口部４４内には雌ねじ部４６が形成されており、前述した第１ガイド３４の雄ねじ部４１に螺着されて、第１ガイド３４と第２ガイド４２とが固定されている。
【００２７】
第２ガイド４２の外周面には二つの位置決め突起４８ａ，４８ｂが突設されている。これらの位置決め突起４８ａ，４８ｂは第２ガイド４２外周面のうち、第２ガイド４２の軸心を挟んで対向する位置に形成されている。前述した一次側収容室６ａの内周面には、一次側収容室６ａの軸心を挟んで対向する位置に、軸心に沿って位置決め用溝１１ａ，１１ｂが形成されており、位置決め突起４８ａ，４８ｂがこれらの位置決め用溝１１ａ，１１ｂ内に係止されることにより、一次側収容室６ａ内の周方向における第２ガイド４２の位置決めがなされるように構成されている。
【００２８】
図９にも示すように、第２ガイド４２の先端面の外周付近には、第２ガイド４２の先端方向に突設された突起状の干渉部４９ａ，４９ｂが設けられている。干渉部４９ａ，４９ｂは、第２ガイド４２の軸心を挟んで対向する位置に設けられている。また、これらの干渉部４９ａ，４９ｂと位置決め突起４８ａ，４８ｂとは、それぞれ９０度ずらした位置に配設されている。
【００２９】
パッキン５０は薄い円筒状に形成されている。パッキン５０には主体部５２と、主体部５２の先端側に連設されたシール部５４が備えられている。主体部５２の基端側開口部５５はその内径が第１ガイド３４先端の小径部４１ａの外径とほぼ同一に形成されるとともに、基端側開口部５５の奥側寄りはこれよりも小径の内径に形成されており、段部５６が形成されている。第１ガイド３４先端の小径部４１ａは、この段部５６に係止されて主体部５２の基端側開口部５５内に挿嵌されている。
【００３０】
一方、シール部５４は主体部５２よりも小さな外径に形成されている。シール部５４の外径は第２ガイド４２の先端側開口部４３とほぼ同径に形成されており、パッキン５０は第２ガイド４２の先端側開口部４３からシール部５４のみを挿通可能に形成されている。
【００３１】
そして、パッキン５０は、第１ガイド３４の先端と第２ガイド４２の先端側開口部４３の内側周縁部との間に挟持固定されて、両ガイド３４，４２の間に固定されている。また、パッキン５０がこのように固定された状態で、シール部５４の先端面は、第２ガイド４２の先端面よりもわずかに突出するように設けられており、後述するようにボタン２に対して第２ガイド４２の先端面は当接することなくシール部５４のみが当接可能に設けられている。
【００３２】
図３に示すように、副弁６０は略円筒形状に形成されており、ヘッド部材１ｂの二次側通水路５内に装着されている。副弁６０には、有底円筒状の第１ガイド６１と、コイルばね６２の他端が係止装着される略円筒状の第２ガイド６４と、コイルばね６２により付勢されるとともに第１ガイド６１と第２ガイド６４との間に介装される支持部材６３とが備えられている。
【００３３】
第１ガイド６１は第１開口部６７を底部６８に開設した有底円筒形状に設けられている。また、底部６８と反対側の第２開口部６９内には、支持部材６３を支持する円筒状の支持部７０が形成されている。
【００３４】
第１ガイド６１の奥端には第２ガイド６４が取り付けられている。第２ガイド６４は底部６８の第１開口部６７よりも大径に形成されており、第１開口部６７の周縁部に当接して第１ガイド６１内に取り付けられている。第２ガイド６４の軸心付近には、コイルばね６２の他端が係止される係止部７２が設けられている。
【００３５】
支持部材６３は全体が有底長円筒状に形成されており、その先端には半球状のパッキン７４が取り付けられている。支持部材６３の基端側にはコイルばね６２が装着される開口部７６が設けられている。開口部７６の奥端には底部７７が形成されており、係止部７２に他端が係止されるコイルばね６２の一端は、この底部７７に係止される。
【００３６】
支持部材６３の開口部７６の外周には、外側径方向に向けて突設されたフランジ部８０が周設されている。フランジ部８０の外周縁は支持部７０よりも大径に形成されており、フランジ部８０が支持部７０端部に当接することにより、コイルばね６２により付勢された支持部材６３が所定位置で止まるように構成されている。
【００３７】
このようにして、主弁３０と副弁６０とは、その軸心をほぼ一直線状に揃えて、ボタン２を介して向き合うように対向して配設されている。また、主弁３０と副弁６０とは、ボタン２の軸心に対して、ほぼ直交する方向に対向して配設されている。
【００３８】
図３及び図８に示すように、ボタン２は前述したように略円筒状に形成されている。ボタン２は、その中央付近の外側面の一端側に主弁３０が、その他端側に副弁６０が位置するように主弁３０と副弁６０に挟まれるようにしてボタン収容孔７ａ，７ｂに取り付けられている。
【００３９】
ボタン２の長手方向における中央付近には、その一端側に、ほぼ平滑な一次側底面８３（弁座）を有する一次側凹部８４が形成されている。副流路８６及び主流路８８の双方を閉止して完全に止水された状態においては、主弁３０のパッキン５０のシール部５４は一次側底面８３に密着するように配設されている。一次側凹部８４の奥行きはボタン２の外径の約５分の２に設けられている。
【００４０】
また、一次側底面８３と反対側の他端側の中央付近には、一次側底面８３と平行に、ほぼ平滑な二次側底面９５（弁座）を有する二次側凹部９４が形成されている。二次側凹部９４の奥行きはボタン２の外径の約７分の１に設けられている。なお、本例では二次側凹部９４を設けることとしたが図３に示すように、一次側凹部８４の端部が主弁３０外側面に係止可能に構成され、ボタン２の操作の際の移動規制が可能であるので、二次側凹部９４については省略することもでき、二次側凹部９４を備えた構成に限定されない。また、別途、ボタン２の操作の際の移動規制が可能な部材等を取り付けるのであれば、一次側凹部８４についても省略することもでき、一次側凹部８４を備えた構成に限定されない。
【００４１】
図８に示すように、ボタン２の長手方向のほぼ中心付近、また、一次側凹部８４の中心付近には、一次側凹部８４から二次側凹部９４にかけてボタン２の径方向に貫通するように、断面円形状の副流路８６が開口されている。副流路８６の内径は、副弁６０のパッキン７４の先端部分が嵌入・圧着できる程度に、半球状のパッキン７４の外径の約３分の１程度に設けられている。
【００４２】
一次側凹部８４の一端側端部には、一次側凹部８４から二次側凹部９４にかけてボタン２の径方向に貫通するように、主流路８８が開口されている。主流路８８は断面がほぼ正方形状に形成されている。主流路８８の一次側凹部８４側の第１開口部９０は、その一辺が、主弁３０のパッキン５０のシール部５４の開口部内径よりも大きく形成されている。一方、主流路８８の二次側凹部９４側の第２開口部９２は、ボタン２の径方向の二辺が第１開口部９０の各辺と同じ長さに設けられ、一方、ボタン２の軸心方向の二辺がシール部５４の開口部内径とほぼ同径に設けられた長方形状に設けられている。そして、図３に示すように、これらの第１開口部９０及び第２開口部９２間には、第１開口部９０から第２開口部９２側に向けて徐々に開口面積が小さくなるように傾斜内壁面９１が備えられて連設されている。
【００４３】
一次側底面８３のうち、ボタン２の軸心方向に沿う両側部には、前述した主弁３０の干渉部４９ａ，４９ｂが当接しながら移動する誘導部９６ａ，９６ｂが形成されている。誘導部９６ａ，９６ｂは、主流路８８の両側に位置して一次側底面８３に平行な面を備えた突条状の被干渉部９７ａ，９７ｂと、主流路８８の第１開口部９０の副流路８６寄り端部付近から副流路８６の軸心にかけて徐々に一次側凹部８４側に後退する傾斜誘導部９８ａ，９８ｂとを備えている。また、本例では、この傾斜誘導部９８ａ，９８ｂの被干渉部９７ａ，９７ｂと反対側の端部から、さらに、一次側底面８３に平行な面を備えた誘導溝９９ａ，９９ｂが備えられている。
【００４４】
一次側底面８３に対する被干渉部９７ａ，９７ｂの高さと、主弁３０のシール部５４のシール面に対する干渉部４９ａ，４９ｂの高さは、シール部５４が、被干渉部９７ａ，９７ｂ間の一次側底面８３に干渉しないように設けられている。これにより、干渉部４９ａ，４９ｂが被干渉部９７ａ，９７ｂに位置する際、すなわち主弁３０が開放状態である場合にボタン２を操作する際には、シール部５４が一次側底面８３に干渉されないように設けられている。
【００４５】
一方、誘導溝９９ａ，９９ｂは、一次側底面８３に対して、前述した被干渉部９７ａ，９７ｂよりも奥側の深い位置に設けられている。一次側底面８３に対する誘導溝９９ａ，９９ｂの深さと、主弁３０のシール部５４のシール面に対する干渉部４９ａ，４９ｂの高さは、シール部５４が副流路８６の周囲の一次側底面８３に密着するように設けられており、干渉部４９ａ，４９ｂが誘導溝９９ａ，９９ｂ内に位置する際、すなわち主弁３０が閉止状態の際には、シール部５４が一次側底面８３に確実に密着するように設けられている。
【００４６】
また、被干渉部９７ａ，９７ｂから誘導溝９９ａ，９９ｂにかけて被干渉部９７ａ，９９ａ及び誘導溝９９ａ，９９ｂを連結する傾斜誘導部９８ａ，９８ｂの一次側底面８３に対する高さは、被干渉部９７ａ，９７ｂ側から誘導溝９９ａ，９９ｂ側にかけて、被干渉部９７ａ，９７ｂと同じ高さから誘導溝９９ａ，９９ｂと同じ深さへと徐々に奥側に位置するように設けられている。よって、傾斜誘導部９８ａ，９８ｂに干渉部４９ａ，４９ｂが位置する場合において、干渉部４９ａ，４９ｂが被干渉部９７ａ，９７ｂ寄りに位置する場合にはシール部５４が一次側底面８３に干渉されないように設けられ、一方、誘導溝９９ａ，９９ｂ寄りに干渉部４９ａ，４９ｂが位置する場合にはシール部５４が一次側底面８３に確実に密着するように設けられている。そして、このように傾斜された傾斜誘導部９８ａ，９８ｂに対して付勢されながら当接しつつ干渉部４９ａ，４９ｂが誘導移動されることにより、一次側底面８３へのシール部５４への圧着度合いの強弱、離隔・近接が徐々に行われるように構成されている。
【００４７】
以上のように構成された弁装置２０の作用について、図３から図７を参照して説明する。図３に示すように、ボタン２を図の上方側から最下部まで押し込んだ止水時には、主流路８８及び副流路８６のそれぞれは主弁３０又は副弁６０によって閉止される。具体的に説明すると以下の通りである。図３に示す止水状態では、干渉部４９ａ，４９ｂは、一次側底面８３の両側に凹設された誘導溝９９ａ，９９ｂ内に位置され、主弁３０の圧着方向において誘導溝９９ａ，９９ｂ内に収容されている。したがって、主弁３０は、干渉部４９ａ，４９ｂが突設されているにもかかわらず、前述したようにパッキン５０のシール部５４が副流路８６周りの一次側底面８３に圧着されることになる。またこの状態において同時に、副弁６０については、そのパッキン７４が副流路８６の副弁６０側の第２開口部に嵌入圧着される。したがって、主流路８８が閉止されるとともに副流路８６も同時に閉止され、散水板３から吐水は停止されて止水状態となっている。
【００４８】
次いで、図３に示す止水状態から図７に示す吐水状態とするようにボタン２を操作する際の弁装置２０の作用について、その遷移状態を順に説明する。この止水状態から、ボタン２を吐水位置に押し込んでいくと、まず図４に示すように、主弁３０及び副弁６０がそれぞれ、下方の主流路８８寄りに摺動して平行移動する。この状態では、主弁３０は、主流路８８に対して連通可能な位置にまで平行移動されていない。また、干渉部４９ａ，４９ｂは傾斜誘導部９８ａ，９８ｂの誘導溝９９ａ，９９ｂ寄りに位置しており、シール部５４を一次側底面８３から離隔可能な位置にまで達していない。よって、主流路８８は未だに閉止状態とされている。しかしながら、副弁６０のパッキン７４は副流路８６の第２開口部９２から僅かに離隔され、副流路８６の一部が開放されることになる。よって、主弁３０内の湯水は、主流路８８が閉止された状態であっても、副流路８６から副弁６０内に流入可能となり、少量の湯水がボタン２の二次側に流入可能な状態となる。
【００４９】
そしてさらに、ボタン２が吐水側に押し込まれた状態では、図５に示すように、主弁３０及び副弁６０それぞれに対して副流路８６がさらに遠ざかるように移動することになる。この状態では、主弁３０のパッキン５０は主流路８８に対してその先端側開口部５７が位置するところまで至ってはいない。しかしながら、干渉部４９ａ，４９ｂは傾斜誘導部９８ａ，９８ｂの被干渉部９７ａ，９７ｂ寄りにまで位置しており、この位置では、干渉部４９ａ，４９ｂがシール部５４を一次側底面８３から離隔可能とする位置にまで達している。よって、パッキン５０のシール部５４と一次側底面８３との間には僅かに隙間が生ずることとなり、主流路８８は完全には閉止されず微開状態とされ、副流路８６だけではなく主流路８８からもボタン２の二次側に湯水が流入可能な状態となる。また、副弁６０のパッキン７４は副流路８６の第２開口部からは完全に離隔され、副流路８６は開放される。よって、主弁３０内の湯水は、ボタン２の二次側に流入可能な状態となる。
【００５０】
さらにボタン２を吐水側に押し込んだ状態では、図６に示すように、主弁３０及び副弁６０それぞれに対して副流路８６がさらに遠ざかるように移動することになる。この状態では、副弁６０のパッキン７４は副流路８６の第２開口部からは完全に離隔された位置にまで至る。
【００５１】
また、主弁３０のパッキン５０は主流路８８に対してその先端側開口部５７が位置するところまで至り、主弁３０は主流路８８に対して大きく連通され開状態となる。
【００５２】
なお、パッキン５０のシール部５４が一次側底面８３に完全に密着した図３に示す状態からシール部５４が一次側底面８３から離隔される図６に示す状態に至るまでには、干渉部４９ａ，４９ｂが、傾斜誘導部９８ａ，９８ｂ上を被干渉部９７ａ，９７ｂ側に向かって徐々に移動していく。前述したように傾斜誘導部９８ａ，９８ｂの一次側底面８３に対する高さは、被干渉部９７ａ，９７ｂ側に向かって徐々に高くなるように設けられているので、シール部５４は、干渉部４９ａ，４９ｂが傾斜誘導部９８ａ，９８ｂ上を被干渉部９７ａ，９７ｂ側に向かって徐々に移動するに連れて、一次側底面８３に対する相対的位置を離隔する方向に徐々に変位させ、したがって、シール部５４の一次側底面８３に対する圧着度合いは徐々に弱められていく。そして、最終的には図６に示すように、シール部５４は、一次側底面８３から離隔することになる。
【００５３】
そして図７に示すように、ボタン２を図の下方側から最上部まで押し込んだ吐水時には、副弁６０のパッキン７４が副流路８６の開口部を完全に開放するとともに、主弁３０が主流路８８及び副流路８６に完全に連通して開放する。また、この際に、主弁３０の干渉部４９ａ，４９ｂは被干渉部９７ａ，９７ｂ上に移動される。したがって、主弁３０のパッキン５０のシール部５４は、一次側底面８３から完全に離隔された状態を保持されることになる。
【００５４】
また、図７に示す吐水状態において、本例では、干渉部４９ａ，４９ｂが被干渉部９７ａ，９７ｂ内に位置する際に、シール部５４と一次側底面８３とは約１ｍｍの間隔が空けられるように干渉部４９ａ，４９ｂ及び被干渉部９７ａ，９７ｂの高さが設けられている。このように約１ｍｍ以上の間隔を設けるように構成することにより、シール部５４と一次側底面８３との間に、吐水中の異物が挟まらないように構成されている。      
【００５５】
一方、図７に示す吐水状態から図３に示す止水状態とするようにボタン２を操作する際には、前述した図３に示す止水状態から図７に示す吐水状態の際の一次側底面８３と主弁３０の遷移状態とは逆に主弁３０等が動き止水を行うが、一次側底面８３に対して離隔されていたシール部５４は、一次側底面８３に対して徐々に近接し、さらには当接した後には一次側底面８３に対する圧着度合いを徐々に強めながら移動されることになる。また、副弁６０のパッキン７４は副流路８６の第２開口部に徐々に近づき、最終的に第２開口部を閉止する。
【００５６】
主弁３０及び主流路８８について、より具体的に説明すると、一次側底面８３に対するシール部５４の位置は、吐水時において干渉部４９ａ，４９ｂが被干渉部９７ａ，９７ｂ上に当接する位置にある場合には、一次側底面８３に対して完全に離隔されているが、止水方向に操作されて干渉部４９ａ，４９ｂが移動され、傾斜誘導部９８ａ，９８ｂ内に移動されると、徐々に一次側底面８３に近接するように移動する。そして、干渉部４９ａ，４９ｂが傾斜誘導部９８ａ，９８ｂ上を誘導溝９９ａ，９９ｂ寄りに移動するに連れて、シール部５４は一次側底面８３に対してさらに近接し、その後当接される。さらに移動すると、一次側底面８３に対する圧着度合いを強めながら移動され、止水位置において一次側底面８３との水密を完全なものとする。
【００５７】
本弁装置２０ではこのように、主弁３０の一次側底面８３に対する距離を変化させ、吐水位置においては一次側底面８３から離隔するように干渉部４９ａ，４９ｂが作用する。よって、止水位置においては主弁３０のパッキン５０のシール部５４を一次側底面８３に対して確実に密着させて主弁３０を閉止させることができる一方、吐水を行う場合には、シール部５４の一次側底面８３に対する圧着度合いを弱めるか、さらには一次側底面８３から離隔させることができる。したがって、止水位置から吐水位置へとボタン２を操作する際、または、吐水位置から止水位置へとボタン２を操作する際の止水位置寄りの部位において、一次側底面８３上を移動するシール部５４の一次側底面８３に対する摩擦抵抗を弱める、または、無くすことができる。したがって、シール部５４の摩耗や亀裂のおそれを減少させることが出来る。また、吐水・止水の操作をする際の操作荷重を低減することができ、ボタン２の操作性を向上させることができる。さらに本例では傾斜誘導部９８ａ，９８ｂを備えており、シール部５４の一次側底面８３に対する圧着度合いを連続的に変化させることができるので、ボタン２の操作感の急激な変化を抑制することができ、操作性を損ねることがない。
【００５８】
ついで本発明の別の実施の形態について説明する。本実施の形態は、図１０に示すように、主弁３０だけではなく、副弁６０についても「干渉部」及び「被干渉部」を設けたものである。なお、前述した第１の実施の形態と共通する構成については、第１の実施の形態と同一の符号を図に付して説明を省略する。図１０に示すように、副弁６０の先端には干渉部１００ａ、１００ｂが形成されており、また、副弁６０が当接するボタン２の二次側底面９５側においても、一次側底面８３と同様の被干渉部１０２ａ（図示省略），１０２ｂが形成されている。よって、止水位置から吐水位置へとボタン２を操作する際、または、吐水位置から止水位置へとボタン２を操作する際の止水位置寄りの部位において、二次側底面９５上を移動するパッキン７４の二次側底面９５に対する摩擦抵抗を弱める、または、無くすことができる。したがって、本実施の形態では、主弁３０のパッキン５０だけでなく、副弁６０のパッキン７４についても摩耗や亀裂のおそれを減少させることが出来る。また、吐水・止水の操作をする際の操作荷重を低減することができ、ボタン２の操作性を向上させることができることなども第１の実施の形態と同様である。
【００５９】
なお、本発明は前述した実施の形態に限られるものではなく、本発明の趣旨の範囲内で種々の変更が可能である。例えば、干渉部４９ａ，４９ｂ及び被干渉部９７ａ，９７ｂは、それぞれ一次側底面８３、主弁３０側に設けることとしても良い。また、干渉部４９ａ，４９ｂ及び被干渉部９７ａ，９７ｂの形状はこれらに限定されることなく、他の形状でも良い。例えば、前述の例では、被干渉部９７ａ，９７ｂ又は被干渉部１０２ａ（図示省略），１０２ｂは一次側底面８３又は二次側底面９５から主弁３０又は副弁６０方向に突設された突条形状に形成されていたが、干渉部の高さと合わせて弁体の開放操作位置において干渉部と干渉し合う形状・高さに形成されていれば良く、例えば図１１に示すように、一次側底面８３よりも低く形成された溝状の被干渉部１０４ａ，１０４ｂとしても良い。なお、このように誘導溝９９ａ，９９ｂ、傾斜誘導部９８ａ，９８ｂのみならず、被干渉部１０４ａ，１０４ｂも溝状とすることにより、干渉部を溝内に常に収容することができ、吐止水操作時における弁体を安定させることができるので、ボタン２などの操作をより安定的にすることができる。
【００６０】
また、前述の例では主弁３０及び副弁６０を備えたものを例示したがこれに限られず、弁体が一つの弁装置や、弁体が３個以上備えられた弁装置に適用しても良い。また、主弁３０をボタン２の一次側、副弁６０をボタン２の二次側に配設したが、これらの弁３０，６０の位置を入れ替えて副弁６０をボタン２の一次側、主弁３０をボタン２の二次側に配設することとしても良い。
【００６１】
また、前述の例では副流路８６をボタン２の中央寄りに、主流路８８を副流路８６よりもボタン２の端部寄りに配設したが、主流路８８をボタン２の中央寄りに、副流路８６を主流路８８よりもボタン２の端部寄りに配設しても良い。
【００６２】
また、主弁３０及び副弁６０をボタン２の一次側又は二次側のいずれかに並設することも可能である。しかしながら、シャワーヘッド１の幅を小さくして使用者が把持しやすいようにするためには、前述例のように、主弁３０及び副弁６０をボタン２の一次側と二次側にそれぞれ配設するようにすることが望ましい。また、主弁３０及び副弁６０以外の弁体を備える水栓部品に適用することもできる。また、前述の例では、弁装置２０の各部材を直接シャワーヘッド１に組み込んだが、主弁３０や副弁６０等の弁装置２０を構成する各部材を一つのユニットとしてまとめて構成し、シャワーヘッド１に脱着自在に構成しても良い。
【００６３】
また、以下のようにボタン２を構成して、ボタン２の周方向の位置決めをより確実にし、両弁体３０，６０との密着度合いをより確実なものとしても良い。前述のボタン２の径方向の断面形状はほぼ真円に設けられているが、楕円形状に形成するとともに、ボタン２がその軸心方向に摺動自在に取り付けられるシャワーグリップ部材１ａのボタン収容孔７ａ，７ｂもほぼ同径の楕円形状の断面形状に形成することとしても良い。このようにボタン２及びボタン収容孔７ａ，７ｂが形成されて、ボタン収容孔７ａ，７ｂに対してボタン２がその周方向において嵌合することにより、シャワーグリップ部材１ａに対するボタン２の周方向の位置決めをより確実にすることができる。
【産業上の利用可能性】
【００６４】
本発明は吐水具等の給水栓の水栓部品に広く利用することができる。
【符号の説明】
【００６５】
１；シャワーヘッド、１ａ；シャワーグリップ部材、１ｂ；ヘッド部材、２；ボタン、３；散水板、４；一次側通水路、４ａ；開口部、５；二次側通水路、６；収容室、６ａ；一次側収容室、６ｂ；二次側収容室、７ａ，７ｂ；ボタン収容孔、８；段部、９；コイルばね、１０；段部、１１ａ，１１ｂ；位置決め用溝、１２；通水路、１３；Ｏリング、２０；弁装置、３０；主弁（弁体）、３４；第１ガイド、３６；主体部、３７；ばね収容室、３８；段部、３９；Ｏリング、４１；雄ねじ部、４１ａ；小径部、４２；第２ガイド、４３；先端側開口部、４４；基端側開口部、４６；雌ねじ部、４８ａ，４８ｂ；位置決め突起、４９ａ，４９ｂ；干渉部、５０；パッキン、５２；主体部、５４；シール部、５５；基端側開口部、５６；段部、５７；先端側開口部、６０；副弁（弁体）、６１；第１ガイド、６２；コイルばね、６３；支持部材、６４；第２ガイド、６７；第１開口部、６８；底部、６９；第２開口部、７０；支持部、７２；係止部、７４；パッキン、７６；開口部、７７；底部、８０；フランジ部、８３；一次側底面（弁座）、８４；一次側凹部、８６；副流路、８８；主流路、９０；第１開口部、９１；傾斜内壁面、９２；第２開口部、９４；二次側凹部、９５；二次側底面（弁座）、９６ａ，９６ｂ；誘導部、９７ａ，９７ｂ；被干渉部、９８ａ，９８ｂ；傾斜誘導部、９９ａ，９９ｂ；誘導溝、１００ｂ；干渉部、１０２ｂ；被干渉部、１０４ａ，１０４ｂ；被干渉部。
【図１】
2010286019.tif 000003
【図２】
2010286019.tif 000004
【図３】
2010286019.tif 000005
【図４】
2010286019.tif 000006
【図５】
2010286019.tif 000007
【図６】
2010286019.tif 000008
【図７】
2010286019.tif 000009
【図８】
2010286019.tif 000010
【図９】
2010286019.tif 000011
【図１０】
2010286019.tif 000012
【図１１】
2010286019.tif 000013